【手続補正書】
【提出日】平成30年3月19日(2018.3.19)
【手続補正１】
【補正対象書類名】特許請求の範囲
【補正対象項目名】全文
【補正方法】変更
【補正の内容】
【特許請求の範囲】
【請求項１】
再現対象物の上に形成する画像を示す画像データを印刷手段に出力する色変換装置であって、
前記再現対象物の形状を示す形状データを取得する形状データ取得手段と、
前記形状データの解析結果に基づいて、前記画像の各画素の色を変換するための色域データを導出する色域導出手段と、
前記色域データを用いて前記画像の各画素の色を変換する色変換手段と、を有し、
前記色域導出手段は、前記形状データが示す形状が第一の形状である場合は、前記形状データが前記示す形状が前記第一の形状よりも振幅が小さい形状である第二の形状である場合よりも小さい色域を示す前記色域データを導出することを特徴とする色変換装置。
【請求項２】
前記形状データの解析結果に基づいて、前記印刷手段が前記再現対象物の上に前記画像を形成する際の、前記画像の各画素に対応する前記印刷手段の色域の縮小率を導出する縮小率導出手段をさらに有し、
前記色域導出手段は、前記印刷手段の色域を示す色域データを、前記縮小率に基づいて変更することによって前記色域データを導出することを特徴とする請求項１に記載の色変換装置。
【請求項３】
前記縮小率導出手段は、前記形状データに対して周波数分解を行った結果に基づいて、前記画像の各画素に対応する前記印刷手段の色域の縮小率を導出することを特徴とする請求項２に記載の色変換装置。
【請求項４】
前記縮小率導出手段は、前記形状データに対して周波数分解を行うことによって得られる周波数に基づいて、前記画像の各画素に対応する前記印刷手段の色域の縮小率を導出することを特徴とする請求項２又は請求項３に記載の色変換装置。
【請求項５】
前記縮小率導出手段は、形状の周波数と縮小率とを対応付けたテーブルを参照して、前記画像の各画素に対応する前記印刷手段の色域の縮小率を導出することを特徴とする請求項３又は請求項４に記載の色変換装置。
【請求項６】
前記縮小率導出手段は、形状の各周波数成分についての縮小率の線形和を求めることによって、前記画像の各画素に対応する前記印刷手段の色域の縮小率を導出することを特徴とする請求項５に記載の色変換装置。
【請求項７】
前記縮小率導出手段は、前記形状データに対して周波数分解を行うことによって得られる周波数と振幅とに基づいて、前記画像の各画素に対応する前記印刷手段の色域の縮小率を導出することを特徴とする請求項２又は請求項３に記載の色変換装置。
【請求項８】
前記縮小率導出手段は、形状の周波数と振幅と縮小率とをそれぞれ対応付けたテーブルを参照して、前記画像の各画素に対応する前記印刷手段の色域の縮小率を導出することを特徴とする請求項７に記載の色変換装置。
【請求項９】
前記縮小率導出手段は、縮小率の特性が異なる周波数成分ごとに形状の各周波数成分についての縮小率の線形和を求めることによって、前記画像の各画素に対応する前記印刷手段の色域の縮小率を導出することを特徴とする請求項８に記載の色変換装置。
【請求項１０】
前記色域導出手段は、縮小率の特性が低明度部の色域縮小に対応する周波数成分の縮小率に基づいて、前記印刷手段の色域を示す色域データを変更し、変更した色域データに対して、さらに、縮小率の特性が光量の減少による全体明度の低下に対応する周波数成分の縮小率に基づいて変更を行なうことによって、前記画像の各画素の色を変換するための色域データを導出することを特徴とする請求項９に記載の色変換装置。
【請求項１１】
前記縮小率導出手段は、最大の振幅を有する方向の周波数成分に基づいて、前記画像の各画素に対応する前記印刷手段の色域の縮小率を導出することを特徴とする請求項２乃至請求項１０のいずれか一項に記載の色変換装置。
【請求項１２】
前記形状データ取得手段は、前記再現対象物の高さを示す高さ情報を各画素が有する前記形状データを取得することを特徴とする請求項１乃至請求項１１のいずれか一項に記載の色変換装置。
【請求項１３】
各画素の色が変換された前記画像を表示する表示手段をさらに有し、
前記表示手段は、前記画像の各画素のうち、色域の変更前後の隣接画素との色差の比が所定の閾値より大きい画素を強調した画像を表示することを特徴とする請求項１乃至請求項１２のいずれか一項に記載の色変換装置。
【請求項１４】
前記閾値の変更をユーザから受け付ける第一の受け付け手段をさらに有し、
前記表示手段は、前記閾値の変更がされた場合、前記画像の各画素のうち、色域の変更前後の隣接画素との色差の比が変更後の閾値より大きい画素を強調した画像を表示することを特徴とする請求項１３に記載の色変換装置。
【請求項１５】
前記色域導出手段で導出された前記色域データが示す色域のうち、最大色域を前記色変換手段における色変換に用いる第一のモードか、最小色域を前記色変換手段における色変換に用いる第二のモードか、の設定をユーザから受け付ける第二の受け付け手段をさらに有し、
前記色変換手段は、
前記第二の受け付け手段が前記第一のモードの設定を受け付けた場合、前記画像の各画素の色を、前記色域導出手段で導出された各画素の色域データを用いてそれぞれ変換し、
前記第二の受け付け手段が前記第二のモードの設定を受け付けた場合、前記画像の各画素の色を、前記色域導出手段で導出された各画素の色域データのうち、共通の色域を示す色域データを用いてそれぞれ変換することを特徴とする請求項１３又は請求項１４に記載の色変換装置。
【請求項１６】
第一の色域と前記第一の色域と異なる第二の色域とを示す色域データと、画像を表す画像データと、を取得する取得手段と、
前記画像における一部の画素を強調して表示する表示手段と、を有し、
前記表示手段は、前記一部の画素に対応する前記第一の色域と前記第二の色域との差に応じて、前記一部の画素の強調度合いを変えることを特徴とする装置。
【請求項１７】
コンピュータを請求項１乃至請求項１５のいずれか一項に記載の色変換装置の各手段として機能させるための、又は、請求項１６に記載の装置の各手段として機能させるための、プログラム。
【請求項１８】
再現対象物の上に形成する画像を示す画像データを印刷手段に出力する色変換方法であって、
前記再現対象物の形状を示す形状データを取得する取得ステップと、
前記形状データの解析結果に基づいて、前記画像の各画素の色を変換するための色域データを導出する導出ステップと、
前記色域データを用いて前記画像の各画素の色を変換する色変換ステップと、を有し、
前記導出ステップにおいては、前記形状データが示す形状が第一の形状である場合は、前記形状データが前記示す形状が前記第一の形状よりも振幅が小さい形状である第二の形状である場合よりも小さい色域を示す前記色域データを導出することを特徴とする色変換方法。
【請求項１９】
第一の色域と前記第一の色域と異なる第二の色域とを示す色域データと、画像を表す画像データと、を取得する取得ステップと、
前記画像における一部の画素を強調して表示する表示ステップと、を有し、
前記表示ステップにおいては、前記一部の画素に対応する前記第一の色域と前記第二の色域との差に応じて、前記一部の画素の強調度合いを変えることを特徴とする方法。
【手続補正２】
【補正対象書類名】明細書
【補正対象項目名】０００６
【補正方法】変更
【補正の内容】
【０００６】
本発明に係る色変換装置は、再現対象物の上に形成する画像を示す画像データを印刷手段に出力する色変換装置であって、前記再現対象物の形状を示す形状データを取得する形状データ取得手段と、前記形状データの解析結果に基づいて、前記画像の各画素の色を変換するための色域データを導出する色域導出手段と、前記色域データを用いて前記画像の各画素の色を変換する色変換手段と、を有し、前記色域導出手段は、前記形状データが示す形状が第一の形状である場合は、前記形状データが前記示す形状が前記第一の形状よりも振幅が小さい形状である第二の形状である場合よりも小さい色域を示す前記色域データを導出することを特徴とする。